(57)【要約】      （修正有）【課題】目の疲れに配慮しつつ適切な２Ｄ映像、３Ｄ映像を表示させる。【解決手段】２Ｄ−３Ｄ変換手段の出力Ｔ２による映像は、１−３に示す映像Ｌ３１となる。映像Ｌ３１は、Ｔ１信号をもとに左目用と右目用との画像が作成され並べられたような３Ｄ画像となっている。２Ｄ−３Ｄ手動切り替えで２Ｄが選択された場合、２−６画像が立体映像表示手段に供給され、２−９の画像Ｌ５１−２が表示される。２Ｄ−３Ｄ手動切り替えで３Ｄが選択された場合、２−７の画像が立体映像表示手段に供給され、２−１０の画像Ｌ５１−３が表示される。２−７は３次元画像であり、２Ｄ−３Ｄ切り替え制御手段は立体映像表示手段を３次元画像表示になるよう制御するので、３次元画像表示になる。以上のようにして、表示に適さないＴ２信号が選択されることが回避されるように制御する。【選択図】図４
2006121553.tif 000002
【特許請求の範囲】
【請求項１】
映像信号を受信する映像信号受信手段と、
該映像信号受信手段により受信された映像信号を、２次元映像から３次元映像に変換する２Ｄ−３Ｄ映像変換手段と、
前記映像信号受信手段により受信された映像信号を、３次元映像を２次元映像に変換する３Ｄ−２Ｄ映像変換手段と、
受信された映像信号が２次元映像であるか３次元映像であるかを検出する検出手段と、
２次元表示と３次元表示との２表示モードで表示可能な映像表示手段と、
前記検出手段による検出結果に基づいて前記映像表示手段における２次元表示と３次元表示とを切り替える制御を行う切り替え制御手段と
を有することを特徴とする映像表示装置。
【請求項２】
前記切り替え制御手段は、前記映像信号受信手段からの出力信号と、前記２Ｄ−３Ｄ映像変換手段からの出力信号と、前記３Ｄ−２Ｄ映像変換手段からの出力信号と、のうちから前記検出手段による検出結果に基づいて前記映像表示手段に出力する信号を選択することを特徴とする請求項１に記載の映像表示装置。
【請求項３】
前記検出手段は、前記映像信号に重畳される２Ｄ−３Ｄ判別信号を検出し前記切り替え制御手段に対して２Ｄ−３Ｄ判別結果を送ることを特徴とする請求項１又は２に記載の映像表示装置。
【請求項４】
前記切り替え制御手段に対して、２次元表示と３次元表示との切り替えを自動的に行うか手動で行うかを設定するスイッチを有し、
前記切り替え制御手段は、２次元表示と３次元表示の切り替えを手動で行う旨の設定が前記スイッチの操作によりなされた場合に、前記検出手段による検出結果に基づいて、３次元映像信号を２Ｄ−３Ｄ変換した信号と２次元映像信号を３Ｄ−２Ｄ変換した信号を映像表示手段に表示しないように制御することを特徴とする請求項１から３までのいずれか１項に記載の映像表示装置。
【請求項５】
電源立ち上げ時に、前記切り替え制御手段により２次元表示が選択されることを特徴とする請求項１から４までのいずれか１項に記載の映像表示装置。
【請求項６】
前記映像表示手段は裸眼で観察可能な３次元映像表示手段であることを特徴とする請求項１から５までのいずれか１項に記載の映像表示装置。
【請求項７】
請求項１から６までのいずれか１項に記載の映像表示装置を備えた携帯端末。
【請求項８】
前記映像信号として記録済みの信号を再生する映像信号記録再生手段を有する請求項１から７までのいずれか１項に記載の映像表示装置。
【請求項９】
前記映像信号のソースは、放送信号又は記録済みコンテンツの再生信号のいずれかであることを特徴とする請求項１から８までのいずれか１項に記載の映像表示装置。
【請求項１０】
映像信号を受信するステップと、
受信された前記映像信号を、２次元映像から３次元映像に変換する２Ｄ−３Ｄ映像変換するステップと、
受信された前記映像信号を、３次元映像を２次元映像に変換する３Ｄ−２Ｄ映像変換ステップと、
受信された前記映像信号が２次元映像であるか３次元映像であるかを検出するステップと、
前記検出ステップにおける検出結果に基づいて映像変換された映像信号のいずれを選択するかにより２次元表示と３次元表示とを切り替える制御を行い、切り替える制御を行った後の信号を表示させるステップであって、同じ次元から同じ次元への変換を除外して表示させるステップと  
を有することを特徴とする映像表示方法。
【請求項１１】
映像信号を受信するステップと、
受信された前記映像信号が２次元映像であるか３次元映像であるかを検出するステップと、
前記検出ステップにおける検出結果に基づいて、受信された前記映像信号を、スルー、又は２次元映像から３次元映像に変換する２Ｄ−３Ｄ映像変換、又は、３次元映像を２次元映像に変換する３Ｄ−２Ｄ映像変換のいずれを選択するかを決定するステップと、
前記決定するステップにおいて切り替える制御を行った後の信号を表示させるステップであって、同じ次元から同じ次元への変換を除外して表示させるステップと  
を有することを特徴とする映像表示方法。
【請求項１２】
コンピュータに請求項１０又は１１に記載のステップを実行させるためのプログラム。
【発明の詳細な説明】
【技術分野】
【０００１】
本発明は映像表示技術に関し、特に、立体映像表示装置に関する。
【背景技術】
【０００２】
近年、携帯端末向けのテレビ放送が検討されてきている。その例としてはモバイル放送や、地上デジタル放送の１セグメントを使った放送などがあるが、これらはいずれも画像がＱＶＧＡで検討されており、画像が粗いという欠点がある。受信機も携帯型では画面サイズは小さく設計されるので、臨場感が得られにくい。３次元映像は画像の臨場感を高め、見た目の画質をあげる有益な方法であり、画像の粗さや小型の欠点を補うことが可能である。
【０００３】
映像を３次元表示させるための映像表示技術に関しては、種々の技術が開示されている。例えば、２次元映像（以下２Ｄ映像）を３次元映像（以下３Ｄ映像）に変換する機能を備え、放送又は通信手段から得られた映像信号に基づいて３次元表示を行う装置が開示されている（例えば、特許文献１参照）。
【０００４】
また、放送局から送られてくる３次元放送は３次元のまま表示し、２次元放送は３次元に変換して３次元表示する装置に関する開示がなされている（例えば、特許文献２参照）。
【特許文献１】特開平７−２２６９５８号公報
【特許文献２】特開平１０−１５０６０８号公報
【発明の開示】
【発明が解決しようとする課題】
【０００５】
上記のように、３次元表示を行うための様々な提案がなされているにもかかわらず、３Ｄ表示装置が、現在一般に普及しているとは言い難い状況である。この要因としては下記のようなことが考えられる。
【０００６】
１）まず、立体映像を見るために「めがね」等の特別な器具、装置を必要とするようなシステムの場合は、いつでも気軽に鑑賞できるという簡便さが損なわれる。とくに携帯型の受信機ではめがね等の格別な装置を必要とするようでは不便である。
【０００７】
２）また、立体表示システムにより表示する立体映像の提供元が非常に少ないという問題がある。但し、将来、立体映像がテレビ放送で放送されるような状況が実現すれば、表示すべき立体映像の増加に役立つと考えられる。従って、放送が受信できる手段と３Ｄ表示手段との組み合わせは好ましいが、３Ｄ放送だけが立体に表示できる装置を提供したとしても、立体映像を見る機会が非常に制限されることになる。現在は２Ｄ表示装置が広く普及していることを考えると、すぐには立体映像用の放送が多くなるとは考えられない。受信機側で２Ｄ映像を３Ｄ映像に変換する機能を追加することで、このような問題を解決できる。
【０００８】
３）一方で、３Ｄ映像を観察する場合の目の働きは、通常の目の働きとは違うことが知られており、このため、３Ｄ映像の作り方によっては目の疲れが生じる可能性がある。そこで、目を休めるために３Ｄ映像信号を受けて２Ｄ映像を表示する機能も備えていることが好ましい。
【０００９】
また、３Ｄ映像を３Ｄ−２Ｄ変換した映像や２Ｄ映像を２Ｄ−３Ｄ変換した映像は、本来、表示するべき映像ではない。
【００１０】
本発明の目的は、目の疲れに配慮しつつ適切な２Ｄ映像、３Ｄ映像を表示することができる技術を提供することを目的とする。
【課題を解決するための手段】
【００１１】
本発明は、２Ｄと３Ｄとを表示可能な表示装置において、２Ｄ用の表示をさせる場合には、２Ｄ映像信号は２Ｄのまま表示し３Ｄ映像信号は２Ｄに変換して表示し、３Ｄ用の表示をさせる場合には、３Ｄ映像信号は３Ｄのまま表示し２Ｄ映像信号は３Ｄに変換して表示し、さらに、同じ次元同士の変換（２重の変換）をしないよう次元の変換動作を制御することを特徴とする。
【００１２】
本発明の装置は、受信した映像信号に関して、２Ｄ、３Ｄを自動選択し正しく表示すること、２Ｄから３Ｄに変換して表示することおよび３Ｄから２Ｄに変換して表示することが可能な装置である。一方、手動切り替えも可能であり、この際、２Ｄを２Ｄ変換、３Ｄを３Ｄ変換した（同じ次元間での変換を行った）不具合な画像を表示しない工夫が取り入れたれた装置である。同じ次元間の変換は予め行わないようにしても良い。
【００１３】
尚、電源立ち上げ時は、２Ｄ表示をすることで、ユーザが３Ｄ表示をさせたいと意識しない場合には、より目にやさしい２Ｄ表示を行うようにデフォルトで設定しておくこととした。
【発明の効果】
【００１４】
本発明の映像表示装置によれば、３Ｄ映像をみることが可能な上に、３Ｄ映像が入力されていない場合でも、簡単に３Ｄ映像を楽しむことができる。この際、同じ次元間での映像変換を行った不適切な映像を表示させないようにして表示を適正化した。さらに、電源立ち上げ時には２Ｄ表示を行う処理をデフォルトにすることで、ユーザの目の疲れを低減することができる。
【発明を実施するための最良の形態】
【００１５】
以下、本発明の一実施の形態による映像表示装置について、図面を参照しつつ説明を行う。図１は、本実施の形態による映像表示装置の構成例を示す機能ブロック図である。図１に示す映像表示装置において、符号１は放送受信手段であって、アンテナ１１とチューナ１２とを含んで構成されている。受信された映像信号がチューナ１２から出力される。この映像信号は、放送される映像が２次元映像であれば２Ｄ映像が、３次元映像であれば３Ｄ映像である。
【００１６】
３Ｄ映像の場合の映像信号に基づく表示例を図２に示す。図２の画面の左半分に左目用の画像Ｌ１が表示され、右半分に右目用の画像Ｒ１が配置されている。３次元映像の伝送方法については、このような手法以外にも様々な手法が提案されており、例えば、フィールド順次で伝送する方法もある。
【００１７】
図１に戻って説明を続ける。符号２は２Ｄ映像を３Ｄ映像に変換する２Ｄ−３Ｄ変換手段である。２Ｄ映像を３Ｄ映像に変換する２Ｄ−３Ｄ変換手段２は、放送された映像が２Ｄ映像であった場合に、これを３Ｄで見るために使用され、放送をリアルタイムで３Ｄ次元に変換する。放送をリアルタイムで３Ｄ次元に変換する方法について、以下に一例を簡単に説明する。
【００１８】
例えば、左カメラと右カメラとを準備し、左カメラ画像を左目用画像として、右カメラ画像を右目用画像としてディスプレイの表示面に表示し、左目用画像が左目に、右目用画像が右目に到達するように表示すれば、左目用画像と右目用画像のずれＸｍをもとに、観察者は奥行き認識するので奥行きが表現でき、立体視が可能となるのである。但し、通常は、３次元撮影のために２台のカメラを使うことは撮影の負担が大きいため、既に多く存在している２次元画像を３次元的に見ることができれば、新たな３次元画像を撮影する必要がなく非常に便利である。そのために、１枚の２次元画像から、上記で説明したように表示位置のずれた２枚の画像を作成すれば、３次元画像として見ることができる。このずれ量Ｘｍは、被写体の距離により変わるため、被写体距離によってずらす量を変えた画像を作成すればよい（特願２００３−１０８６１１号参照）。
【００１９】
図１に戻り、符号３は、３Ｄ映像を２Ｄ映像に変換する３Ｄ−２Ｄ変換手段である。３Ｄ映像は画像の臨場感を高めることができるが、３Ｄ映像を観察する場合の目の働きは、通常の目の働きとは違うことが知られており、このため、３Ｄ映像の作り方によっては目の疲れが大きい等、健康への影響が懸念される。また視聴者の好みによっては２次元映像で視聴したい場合もある。従って、３Ｄ映像であっても２Ｄ表示ができるように３Ｄ−２Ｄ変換手段を設ける。
【００２０】
３Ｄ映像を２Ｄ映像に変換する例を図３に示す。３Ｄ映像として、図２に示す形式の映像を想定したときに、左目用画像Ｌ１、右目用画像Ｒ１は、それぞれ２Ｄ画像になっている。従って３Ｄ映像を２Ｄ映像に変換するには、いずれか一方の画像を取り出して表示すればよい。ここでは左目用画像Ｌ１を取り出す場合を例にして説明する。左目用画像Ｌ１を取り出し、図３の下図に示すように画角一杯になるよう拡大する。
【００２１】
図１に戻って、符号４は立体映像表示手段である。立体映像表示手段４は、２次元映像表示と３次元表示とを切り替えて表示可能な装置である。このような表示装置として好適な例としては、以下に説明する装置がある。特別な器具なしに裸眼で３Ｄ映像を鑑賞でき、また２Ｄ表示と３Ｄ表示を切り替えることができるため、本実施の形態に適用する場合に好適である。この装置は、入力される画像データに応じて表示画像を生成する表示用液晶パネルと、３Ｄ表示時の表示画像に特定の視野角を与え３Ｄ効果を得る視差バリアとしてのパターン化位相差板と、視差バリアの効果の有効／無効を切り替えることで２Ｄ表示／３Ｄ表示を切り替えるスイッチング液晶パネルとを有する。
【００２２】
但し、上記の装置は、パララックスバリアを用いた方式であって、３次元で視聴できる視聴範囲が狭いという欠点がある。この方式を大型の表示画面を有する装置に適用すると、視聴位置を調整するために視聴者が自分で動いて最適に見える位置を自ら探す必要がある上に、探した位置に頭を常に固定しておく必要があり不便である。
【００２３】
本実施の形態においては、上記の装置を携帯型の端末用の表示装置として使用することを意図している。携帯型の端末装置の表示部は小型であり、端末装置の方を手でもって動かすことで自分の頭を動かさずに最適な位置を探すことができる。これにより、疲労が軽減され、また、めがねが不要であるというパララックスバリア方式の特徴を生かすことが可能である。
【００２４】
符号５は、２Ｄ表示と３Ｄ表示とを切り替える切り替え手段である。以下切り替え手段５の動作について説明する。符号５１は２Ｄ３Ｄ切り替え制御手段である。符号５２は映像信号のセレクタであって、２Ｄ３Ｄ切り替え制御手段５１により制御され、選択された２Ｄ映像又は３Ｄ映像のいずれかを出力する。２Ｄ３Ｄ切り替え制御手段５１は、また、選択された映像信号が２Ｄ映像又は３Ｄ映像のいずれかによって、立体映像表示手段４を切り替えて、選択された映像信号に合わせて２Ｄ映像又は３Ｄ映像表示にする。
【００２５】
符号５３は、２Ｄ３Ｄ手動／自動切り替えスイッチである。２Ｄ−３Ｄの切り替えを手動で行うか自動で行うかの選択を行う。符号５４は、２Ｄ３Ｄ手動切り替えスイッチであって、２Ｄ３Ｄ手動／自動切り替えスイッチが手動に設定された場合に、このスイッチによって２Ｄと３Ｄとの切り替えを行う。符号５５は３Ｄ検出手段であって、２Ｄ映像信号と３Ｄ映像信号との判別を行う。
【００２６】
２Ｄ映像信号／３Ｄ映像信号の判別方法の例としては、３Ｄ映像を作成する際に、３Ｄ信号であることを示す特別の識別信号を映像信号に重畳し、映像信号中にこの識別信号があるときは３Ｄ映像信号と判別し、映像信号中にこの識別信号がないときは２Ｄ映像信号と判断する。具体的な識別信号の重畳方法としては、例えば、デジタル放送の場合には映像信号がＭＰＥＧ２のＴＳ（トランスポートストリーム）として送られるが、このＴＳ（トランスポートストリーム）の中には番組情報が含まれている。番組情報として、２Ｄ画像か３Ｄ画像かを示す情報を含ませて送信することにする。このように、３Ｄ検出手段５５は、このＴＳに含まれる番組情報を解析し２Ｄ映像か３Ｄ映像かを判別するものでも良い。
【００２７】
符号６は、映像信号の記録再生手段である。記録再生手段６は、記録再生回路６１と、記録媒体６２と、を含む。記録再生手段６は、任意に設けられ放送を受信する場合には必須の構成ではないが、記録再生手段６を設けることによって、ユーザが希望する時間に希望する画像を、２Ｄまたは３Ｄで視聴することが可能になる。また、他の機器で記録したコンテンツを、媒体を介して再生することができるためいっそう利便性が増す。
【００２８】
符号７１は、放送受信手段１の映像を表示するか、映像記録再生手段６の映像を表示するかを切り替える映像切り替え手段であり、映像切り替え手段７１により入力された信号に基づいてセレクタ７２により放送受信手段１の映像と映像記録再生手段６の映像とのいずれを出力するかを切り替える。
【００２９】
次に、図４及び図５を参照しつつ、放送を受信している場合の全体の動作を説明する。適宜、図１から図３までも参照する。放送受信を開始すると（ステップＳ１）、放送受信手段１の出力はセレクタ７２の出力端子に出力される。この出力端子における信号をＴ１信号とする。ここで、ステップＳ２において、Ｔ１信号が２Ｄ信号であるか３Ｄ信号であるかを、３Ｄ検出手段５５により検出する。３Ｄ検出手段５５の検出結果が、２Ｄ信号であれば、ステップＳ３に進む。３Ｄ検出手段５５の検出結果が、３Ｄ信号であれば、ステップＳ１１に進む。尚、Ｔ１信号は２Ｄ放送を受信しているのであれば、図４の１−２のような映像Ｌ２１である（すなわち放送画像１−１の信号と同じ信号であり、この際の信号に基づいて映像を表示させたと仮定すると映像はＬ２１に示す映像となる）。
【００３０】
２Ｄ−３Ｄ変換手段２の出力Ｔ２による映像は、図４の１−３に示す映像Ｌ３１となる。映像Ｌ３１は、Ｔ１信号をもとに左目用と右目用との画像が作成され並べられたような３Ｄ画像となっている。また３Ｄ−２Ｄ変換手段３の出力Ｔ３は、１−４に示す映像Ｌ２２となる。３Ｄ−２Ｄ変換は、前述の通り３Ｄ画像の左側を拡大するように動作するが、２Ｄ画像が入力された場合は入力画像の左側半分が拡大された画像となり全体の画像にはならない。従って、この画像を最終的に提示することは送信された画像と異なる意味のない画像を表示することになるため、視聴者の混乱をまねくことになる。従って、この画像は表示しないようにする必要がある。
【００３１】
セレクタ５２は、上記Ｌ２１（Ｔ１）、Ｌ３１（Ｔ２）、Ｌ２２（Ｔ３）の信号のうちから１つを選択して出力する。ステップＳ３において、予め、２Ｄ画像信号を、それぞれ、スルー（Ｔ１信号）、２Ｄ−３Ｄ変換（Ｔ２信号）、３Ｄ−２Ｄ変換（Ｔ３信号）し、それぞれの信号を準備する。実際には、不要な変換は予め行わないように制御することも可能である。
【００３２】
次いで、ステップＳ４において２Ｄ３Ｄ自動切り替えが手動切り替えかどうかを判断する。まず、２Ｄ−３Ｄ自動切り替えの場合（２Ｄ−３Ｄ手動／自動切り替えスイッチ５３が自動になっている場合である）にはステップＳ５に進み、入力した放送画像は２Ｄ画像であるから、３Ｄ検出手段５５はＴ１信号が２Ｄ画像である旨を検出してその結果を２Ｄ−３Ｄ切り替え制御手段５１に送る。そして２Ｄ−３Ｄ切り替え制御手段５１は２Ｄ画像であるＴ１信号を選択するようにセレクタ５２を制御する（ステップＳ６）。
【００３３】
次に、２Ｄ−３Ｄ手動切り替えの場合（これは２Ｄ−３Ｄ手動/自動切り替えスイッチ５３が手動になった場合）は、２Ｄ−３Ｄ手動切り替えＳＷ５４の切り替えに従って画像を選択する。Ｔ１信号が２Ｄ画像であることを３Ｄ検出手段５５が検出した場合（ステップＳ８）、Ｔ１信号が２Ｄ信号でありＴ２信号が２Ｄ−３Ｄ変換信号になることは予めわかっている。したがって、ステップＳ９において、２Ｄ−３Ｄ手動切り替えＳＷ５４が２Ｄを選択した場合にはステップＳ６に進みＴ１が選択され、２Ｄ−３Ｄ手動切り替えＳＷ５４により３Ｄが選択された場合はステップＳ１０に進み、Ｔ２信号が選択されるように、２Ｄ−３Ｄ切り替え制御手段５１がセレクタ５２を制御する。
【００３４】
このようにしてセレクタ５２で選択された信号が、立体映像表示手段４に実際に表示されると、その映像は次のようになる。２Ｄ−３Ｄ自動切り替えの場合、Ｔ１信号に基づくＬ２１の画像が立体映像表示手段４に供給され、１−８の画像Ｌ４１−１が表示される（ステップＳ７）。すなわち、入力Ｔ１信号１−５が２次元画像であるため、２Ｄ−３Ｄ切り替え制御手段５１は立体映像表示手段４を入力Ｔ１信号１−５と同じ２次元画像表示になるように制御する（ステップＳ７）。
【００３５】
２Ｄ−３Ｄ手動切り替えの場合で２Ｄが選択された場合には、１−６の画像Ｌ２１が立体映像表示手段４に供給され、１−９の画像Ｌ４１−２が表示される。１−６の画像Ｌ２１は２次元画像であり、２Ｄ−３Ｄ切り替え制御手段５１は、２Ｄ画像であるＴ１信号を選択するようにセレクタ５２を制御するため、実際に立体映像表示手段４には２Ｄ画像が表示される。２Ｄ−３Ｄ手動切り替えの場合で３Ｄが選択された場合には、Ｌ３１とＲ３１とを含む１−７の画像ＬＲ３１が立体映像表示手段４に供給され、１−１０の画像が表示される。１−７は３次元画像ＬＲ３１であり、２Ｄ−３Ｄ切り替え制御手段５１は立体映像表示手段４を３次元画像表示になるよう制御するため、３次元画像表示Ｌ４１−３になる。
【００３６】
この際、留意することは、セレクタ５２は、表示に適さないＴ３信号を選択しないことである。すなわち、１−４のＴ３信号に基づく異常な画像Ｌ２２が選択され表示されることがないように選択制御する。
【００３７】
次に、３Ｄ放送を受信している場合（図４の下欄）は、Ｔ１端子におけるＴ１信号は、図４の２−２の映像ＬＲ１１である（すなわち２−１の放送画像ＬＲ１１そのものである）。２Ｄ−３Ｄ変換手段２の出力端子Ｔ２の信号は、図４の２−３に示す画像ＬＲ２２となれる。この画像ＬＲ２２は、Ｔ１信号をもとに左目用と右目用の画像がそれぞれ作成され並べられたような画像となっている。元の信号が３Ｄ信号であるため、これを２Ｄ−３Ｄ変換した信号は、左目画像＋右目画像の１組をもとに３Ｄ変換してしまうため、２−３に示すような画像ＬＲ２２となってしまい、これを立体映像表示手段４に供給しても正常な画像は得られない。したがってこの画像は選択されないように制御する必要がある。また、３Ｄ−２Ｄ変換手段３の出力Ｔ３は２−４の画像Ｌ１１’となる。３Ｄ−２Ｄ変換は前述の通り、３Ｄ画像の左側を拡大するように動作するからである。
【００３８】
セレクタ５２は、上記Ｔ１からＴ３までの信号中から１つを選択して出力する。まず２Ｄ−３Ｄ自動切り替えの場合（これは２Ｄ−３Ｄ手動/自動切り替えスイッチ５３が自動になった場合）は（ステップＳ１２）、放送画像は３Ｄ画像だから、３Ｄ検出手段５５はＴ１信号が３Ｄ画像である旨を検出して（ステップＳ１２）、その結果を２Ｄ−３Ｄ切り替え制御手段５１に送る。そして２Ｄ−３Ｄ切り替え制御手段５１は３Ｄ画像であるＴ１信号を選択するようにセレクタ５２を制御する（ステップＳ１４）。
【００３９】
次に、ステップＳ１２で２Ｄ−３Ｄ手動切り替えの場合（これは２Ｄ−３Ｄ手動/自動切り替えスイッチ５３が手動になった場合）は、２Ｄ−３Ｄ手動切り替えスイッチ５４に従って画像を選択する。３Ｄ検出手段５５が３Ｄ画像であることを検出し（ステップＳ１６）、Ｔ１信号が３Ｄ信号であり、Ｔ３信号が３Ｄ−２Ｄ変換信号になることは予めわかっている。従って、２Ｄ−３Ｄ手動切り替えスイッチ５４が２Ｄを選択した場合は（ステップＳ１８）Ｔ３信号が選択され、２Ｄ−３Ｄ手動切り替えスイッチ５４が３Ｄを選択した場合Ｔ１信号が選択されるようにステップＳ１４に進み、２Ｄ−３Ｄ切り替え制御手段５１がセレクタ５２を制御する。
【００４０】
このようにして、セレクタ５２で選択された信号が、立体映像表示手段４に実際に表示される映像は次のようになる。２Ｄ−３Ｄ自動切り替えの場合、２−５の信号が立体映像表示手段４に供給され、２−８の画像Ｌ５１−１が表示される。２−５は３次元画像であり、２Ｄ−３Ｄ切り替え制御手段５１は立体映像表示手段４を３次元画像表示になるよう制御するので、３次元画像表示になる（ステップＳ１５）。
【００４１】
２Ｄ−３Ｄ手動切り替えで２Ｄが選択された場合、２−６画像Ｌ１１’が立体映像表示手段４に供給され、２−９の画像Ｌ５１−２が表示される。２−６は２次元画像であり、２Ｄ−３Ｄ切り替え制御手段５１は立体映像表示手段４を２次元画像表示になるよう制御するので、２次元画像表示になる。２Ｄ−３Ｄ手動切り替えで３Ｄが選択された場合、２−７の画像Ｌ１１が立体映像表示手段４に供給され、２−１０の画像Ｌ５１−３が表示される。２−７は３次元画像であり、２Ｄ−３Ｄ切り替え制御手段５１は立体映像表示手段４を３次元画像表示になるよう制御するので、３次元画像表示になる。以上のようにして、表示に適さないＴ２信号が選択されることが回避されるように制御する。
【００４２】
上述のように、２Ｄ−３Ｄ自動切り替えの場合、３Ｄ検出手段５５の出力信号をもちいて自動的に２Ｄか３Ｄかが選択され表示される。２Ｄ−３Ｄ手動切り替えの場合は、手動により２Ｄか３Ｄかが選択される。２Ｄ表示が選択された場合は受信画像が２Ｄ画像であればそのまま２Ｄとして表示され、受信画像が３Ｄであれば３Ｄ−２Ｄ変換されて２Ｄ表示される。３Ｄ表示が選択された場合は、受信画像が２Ｄであれば２Ｄ−３Ｄ変換されて３Ｄ画像が表示され、受信画像が３Ｄであればそのまま３Ｄとして表示される。そして図４の１−４や２−３に示すような異常画像Ｌ２２、ＬＲ２２が表示されることはない。
【００４３】
但し、３Ｄ画像を鑑賞する場合、目の疲れが発生する場合があるため、３Ｄ表示に慣れていないユーザのために、電源ＯＮ時は２Ｄ−３Ｄ手動切り替えで立ち上がり、かつ、２Ｄ表示にしておき、３Ｄモードには視聴者がみずから切り替えることで、３Ｄ表示を意識させるようにすることが望ましい。ただし、この操作は煩雑になりやすいので、目の疲れに関して理解しているユーザのため、自動切り替えモードも設けておくことで、ユーザの使い勝手が良くなる。以上は放送受信の場合を説明したが、記録再生手段６からの再生信号を表示させる場合に関しても同様の動作が行われる。
【００４４】
以上に説明したように、本実施の形態による立体映像表示装置によれば、携帯型端末に３Ｄ映像を表示させる小型表示部を設けたことにより、立体映像を見る場合における適正な位置を簡単に見つけることができる。
【００４５】
この信号において、２Ｄ表示と３Ｄ表示切り替えは、画像に重畳されてくる判別信号を検出して自動的に行うこともできる。２Ｄ表示と３Ｄ表示との切り替えは、手動で行うか、自動で行うかを選択することが可能である。但し、電源立ち上げ時は、２Ｄ表示をするように設定しておくことで、３Ｄ表示のみを見ることに起因する目の疲れを低減することができる。２Ｄ表示と３Ｄ表示の切り替えを手動で行う場合にも、画像に重畳されてくる判別信号を検出して表示するようにし、３Ｄ信号を再度３Ｄに変換した信号、および、２Ｄ信号に対して再度２Ｄ信号に変換した信号を画面に表示しないように制御することができる。
【００４６】
以上のように、本実施の形態による立体映像表示装置によれば、３Ｄ放送画像をみることが可能な上に、３Ｄ放送がない場合でも簡単に３Ｄ画像を楽しむことができる。また、目の疲れも低減する。
【産業上の利用可能性】
【００４７】
本発明は、立体映像を表示できる装置に適用できる。特に、携帯電話機や携帯端末などの小型表示部を有する装置に活用できる。
【図面の簡単な説明】
【００４８】
【図１】本発明の一実施の形態による映像表示装置の構成例を示す機能ブロック図である。
【図２】３Ｄ映像用の左目用画像と右目用画像との一例を示す図である。
【図３】３次元映像から２次元映像への変換例を示す図である。
【図４】２Ｄ／３Ｄ変換表示一覧を示す図である。
【図５】２Ｄ／３Ｄ変換処理の流れを示すフローチャート図である。
【符号の説明】
【００４９】
１…放送受信手段、２…２Ｄ−３Ｄ変換手段、３…３Ｄ−２Ｄ変換手段、４…立体映像表示手段、５…切り替え手段、６…記録再生手段、５１…２Ｄ−３Ｄ
５２…セレクタ、７１…映像切り替え手段、７２…セレクタ。
【図１】
2006121553.tif 000003
【図２】
2006121553.tif 000004
【図３】
2006121553.tif 000005
【図４】
2006121553.tif 000006
【図５】
2006121553.tif 000007